(57)【特許請求の範囲】
【請求項１】
顔面カバー用として裁断加工した吸液性シート材（１ａ）と首部カバー用として裁断加工した吸液性シート材（１ｂ）との圧縮コンパクト化成形体（１）を１つ内包させた圧縮コンパクト化成形体包装体部分（３）と、一回使い切り分量の美容液（４）を封入した美容液封入容体部分（２）とを、軟質ラミネートシート材あるいは軟質プラスチックシート材を溶着加工で扁平袋容器に製袋して一連一体に繋げた形態の美容品セットであり、前記美容液封入容体部分（２）は、開封した該美容液封入容体部分（２）内に、前記圧縮コンパクト化成形体包装体部分（３）を開封して取り出した前記圧縮コンパクト化成形体（１）を入れて該美容液封入容体部分（２）内の美容液（４）を含ませて膨潤・緩解させた状態にすることが可能な大きさ・形状を有することを特徴とする美容品セット。
【発明の詳細な説明】
〔Ａ〕本発明は、携帯性がよく、使い易い美容品セットを提供するもので、下記の特徴を有する美容品セットである。
【０００１】
顔面カバー用として裁断加工した吸液性シート材（１ａ）と首部カバー用として裁断加工した吸液性シート材（１ｂ）との圧縮コンパクト化成形体（１）を１つ内包させた圧縮コンパクト化成形体包装体部分（３）と、一回使い切り分量の美容液（４）を封入した美容液封入容体部分（２）とを、軟質ラミネートシート材あるいは軟質プラスチックシート材を溶着加工で扁平袋容器に製袋して一連一体に繋げた形態の美容品セットであり、前記美容液封入容体部分（２）は、開封した該美容液封入容体部分（２）内に、前記圧縮コンパクト化成形体包装体部分（３）を開封して取り出した前記圧縮コンパクト化成形体（１）を入れて該美容液封入容体部分（２）内の美容液（４）を含ませて膨潤・緩解させた状態にすることが可能な大きさ・形状を有することを特徴とする美容品セット。
【０００８】
〔Ｂ〕以下、図面に示した実施形態例を参照して具体的に説明する。図１〜図６は参考例である。まず、この参考例を説明する。
【０００９】
図１において、１は吸液性シート材１ａの圧縮コンパクト化成形体、２は一回使い切り分量の美容液４（図４）を封入した容体である。
【００１０】
図２は、吸液性シート材１ａの圧縮コンパクト化成形体１を一つ小袋に入れて包装し、この包装体３と、一回使い切り分量の美容液を封入した容体２とを両面接着剤等の接着剤で接着して一体化して一回使い切り・使い捨て美容品セットＡとしたものである。
【００１１】
吸液性シート材１ａの圧縮コンパクト化成形体１は、本例のものは、吸液性のよい１００％パルプの紙シート或は不織布シートを顔面カバー用として例えば図３のようなパターンで裁断したシート材（以下、フェイスマスクと記す）１ａを小さく畳み込み、更には巻き込んで、それを更にプレス機械で超高密度に圧縮してコイン状にコンパクト化成形したものである。
【００１２】
本例の圧縮コンパクト化成形体１は、図３のようなパターンで裁断した直径約２２〜２３ｃｍのフェイスマスク１ａを、直径約２０ｍｍ、厚さ約６ｍｍのコイン状に圧縮コンパクト化成形したものである。フェイスマスク１ａにおいて、ａは目・鼻・口部に対応する部分、およびその他の必要部分に形成した、切り込み線或は抜き穴部である。
【００１３】
一回使い切り分量の美容液４を封入した容体２は、本例のものは、軟質ラミネートシート材（アルミ層を含む４層複合シート材）あるいは軟質プラスチックシート材を溶着加工（ウエルダー）で製袋した、縦約８ｃｍ、横６ｃｍの矩形扁平小袋容器である。ｂは容器四周の溶着加工部である。図４は図１の容体２の（４）−（４）線に沿う縦断面図であり、内部には一回使い切り分量の美容液４を封入してある。図１・図２において、ｃは袋容器２の上辺部近傍に印刷で入れた、開封のための切り取り目安線である。
【００１４】
美容液４は、本例のものは、肌をしっとりしなやかに保つトリートメントエッセンス（例えば、配合成分：水、ＢＧ、グリセリン、プラセンタエキス（ブタ）水溶性コラーゲン（ウシ）、カミツレエキス、ＰＣＡ−Ｎａ、セテス−２０、グリチルリチン酸２Ｋ、ヒアルロン酸Ｎａ、メチルパラベン）であり、一回使い切り分量として約６ｍｌを容体２に封入してある。
【００１５】
使用方法は次の要領である。
【００１６】
▲１▼．吸液性シート材即ちフェイスマスク１ａの圧縮コンパクト化成形体１の包装体３を、これを貼り付けている、一回使い切り分量の美容液４を封入した袋容器２から剥ぎ取り、包装を解いてフェイスマスク１ａの圧縮コンパクト化成形体１を取り出す（図２→図１）。
【００１７】
▲２▼．袋容器２の上辺部分を切り取り目安線ｃに沿ってハサミで切断除去することで、図５の（ａ）・（ｂ）のように開封状態にする。
【００１８】
▲３▼．この開封した袋容器２の中に上記のフェイスマスク１ａの圧縮コンパクト化成形体１を入れる。
【００１９】
そうすると、フェイスマスク１ａの圧縮コンパクト化成形体１は、袋容器２内に収容の美容液４を実質的に全て急速に吸液してたっぷりと含むことで、高密度で固いコイン状の圧縮コンパクト化成形体１が、図５の（ｃ）のように、膨潤して緩解した状態１′になる。
【００２０】
▲４▼．圧縮コンパクト化成形体１は美容液４をたっぷりと吸って膨潤・緩解した状態１′になることで、小さく畳み込み、更には巻き込んであるフェイスマスク１ａをゆっくり展開して図３のように容易に広げることができる。
【００２１】
▲５▼．そしてその広げられ、かつ美容液４をたっぷりと含んでいるフェイスマスク１ａを図６のように顔に軽く押えるようにしてのせ、例えば約５〜２０分を目安時間にしてそのままにして、うるおい成分をしっかりと肌に届かせる。目、鼻、口、輪郭の部分は切り込みａを調節して顔にフィットさせ手のひらで軽く押えて密着させる。
【００２２】
上記成分の美容液４は、肌をしっとりしなやかに保たせ、角質層に浸透して潤いを与え肌を柔軟にし、しっとりとしたハリのある肌に仕上げる。
【００２３】
▲６▼．使用済みのフェイスマスク１ａは廃棄する。
【００２４】
図７・図８は本発明の美容品セットの実施形態例である。
吸液性シート材の圧縮コンパクト化成形体１は、図７のように、顔面カバー用として裁断加工した吸液性シート材１ａと、首部カバー用として裁断加工した吸液性シート材１ｂの２枚を小さく畳み込み、更には巻き込んで、それをプレス機械で超高密度に圧縮コンパクト化成形したものである。
【００２６】
図８は、吸液性シート材の圧縮コンパクト化成形体１を１つ内包させた包装体部分３と、一回使い切り分量の美容液を封入した容体２部分とを、軟質ラミネートシート材あるいは軟質プラスチックシート材を溶着加工ｂで製袋して一連一体に繋げた形態にして、一回使い切り・使い捨て美容品セットＡとした例を示している。
【００２７】
図９は、図２又は図８の美容品セットＡの複数個を一つの化粧箱Ｂに収容させて１包装体とした形態例を示している。
【００２８】
〔Ｃ〕本発明の美容品セットは下記のような利点を有している。
【００２９】
１）複数回分の多量の美容液を大瓶容器に収容させ、使用時毎に開栓して吸液性シート材に一回分量を含ませて使用する場合には、使用時毎に大瓶容器内の残り美容液の雑菌汚染の可能性があるので、残り美容液の腐敗を長期にわたり防止するために美容液に対して防腐剤配合処方がなされるが、本発明の美容品セットのように一回使い切り・使い捨てタイプとすることで残り美容液というものはないから上記の大瓶タイプの美容品の場合におけるような残り美容液の長期的な腐敗防止のための防腐剤配合処方は必要なくなる。
【００３０】
したがって美容品を一回使い切り・使い捨てタイプとしたことによって、美容液に対する防腐剤の配合使用が必要最低限で済み、あるいは無配合化することも可能となり、美容液の純粋性をより高めることが可能となる。
【００３１】
２）美容品を一回使い切り・使い捨てタイプとすることで、美容品の１セットは小型・軽量なものとなり、旅行時などには必要セット個数だけを嵩張りや重量感なく携帯することができる。
【００３２】
３）しかも、本発明では、美容液を含ませて使用する吸液性シート材を圧縮コンパクト化成形体としたので、美容品セットをより小型なものにすることができ、嵩張りなく携帯することができる。
【００３３】
４）吸液性シート材の圧縮コンパクト化成形体を１つ内包させた包装体と、一回使い切り分量の美容液を封入した１つの容体とを一体化させることで、両者の分離散逸が防止される。
【００３４】
５）美容液を含ませて使用する吸液性シート材を圧縮コンパクト化成形体にするとともに、一回使い切り分量の美容液を封入した容体は、開封した該容体内に前記吸液性シート材の圧縮コンパクト化成形体を入れて容体内の美容液を含ませて膨潤・緩解させた状態にすることが可能な大きさ・形状を有するものにすることで、吸液性シート材に美容液を含ませ処置するための他の容器などを用意することなく、簡単・手軽に美容液を含ませた吸液性シート材を調製することができて、使い易い。
【図面の簡単な説明】
【図１】  参考例における、吸液性シート材の圧縮コンパクト化成形体と、一回使い切り分量の美容液を封入した容体の斜視図
【図２】  吸液性シート材の圧縮コンパクト化成形体を一つ小袋に入れて包装し、この包装体と、一回使い切り分量の美容液を封入した容体とを両面接着剤等の接着剤で接着して一体化して一回使い切り・使い捨て美容品セットとしたものの斜視図
【図３】  吸液性シート材としてのフェイスマスクの展開平面図
【図４】  一回使い切り分量の美容液を封入した容体の縦断面模型図
【図５】  美容品セットの使用方法の説明図（その１）
【図６】  美容品セットの使用方法の説明図（その２）
【図７】  実施形態例における、顔面カバー用と首部カバー用の２枚組の吸液性シート材の展開平面図
【図８】  実施形態例の美容品セットの斜視図
【図９】  美容品セットの複数個を一つの化粧箱に収容させて１包装体とした形態例の斜視図
【符号の説明】
１・・吸液性シート材の圧縮コンパクト化成形体、１ａ，１ｂ・・吸液性シート材、２・・一回使い切り分量の美容液を封入した容体、３・・１つの吸液性シート材圧縮コンパクト化成形体の包装体、４・・美容液、Ａ・・美容品セット、Ｂ・・包装箱
【図１】
0003759427.tif 000002
【図２】
0003759427.tif 000003
【図３】
0003759427.tif 000004
【図４】
0003759427.tif 000005
【図５】
0003759427.tif 000006
【図６】
0003759427.tif 000007
【図７】
0003759427.tif 000008
【図８】
0003759427.tif 000009
【図９】
0003759427.tif 000010